(57)【要約】【課題】容器内の流体を劣化させることなく、また、流体が揮発するものである場合には、その外部への導出、拡散あるいは酸化を阻止し、さらにキャップの容器への装着、あるいは取り外しが一層容易化する流体吸引用キャップを提供する。【解決手段】キャップ２０は、合成ゴムの如き弾性力に富む部材で形成され、下方へと拡開する形状を有するスカート部２２とパイプを挿入するための挿入部２４とを有する。スカート部２２の上部側に弁体２８が設けられ、その中心部に、十字状のスリット３０が設けられている。スカート部２２の下端部には、周回するリブ２６が設けられている。【選択図】図１
2005035600.tif 000002
【特許請求の範囲】
【請求項１】
流体の貯留用容器に挿入されるパイプに装着されるキャップであって、前記キャップは、スカート部とパイプ挿入部とを有し、前記スカート部の端部には周回するリブが設けられ、且つ前記スカート部に弁体が設けられるとともに前記パイプ挿入部は前記パイプの周壁に略密着していることを特徴とする流体吸引用キャップ。
【請求項２】
請求項１記載の流体吸引用キャップにおいて、前記スカート部は弾性力を有する可撓性部材で形成されていることを特徴とする流体吸引用キャップ。
【請求項３】
請求項２記載の流体吸引用キャップにおいて、前記可撓性部材は合成ゴムから形成されることを特徴とする流体吸引用キャップ。
【請求項４】
請求項１乃至３のいずれか１項に記載の流体吸引用キャップにおいて、前記弁体はチェック弁であることを特徴とする流体吸引用キャップ。
【請求項５】
請求項４記載の流体吸引用キャップにおいて、前記チェック弁は前記スカート部と一体に形成され、且つスリットを有することを特徴とする流体吸引用キャップ。
【請求項６】
請求項１乃至５のいずれか１項に記載の流体吸引用キャップにおいて、前記スカート部は、その一部に蛇腹形状を有することを特徴とする流体吸引用キャップ。
【発明の詳細な説明】
【技術分野】
【０００１】
本発明は流体吸引用キャップに関し、一層詳細には、流体の貯留用容器から簡易に流体を外部に導出することが可能であるとともに、可及的に容器内の流体を外部と遮断するように構成した流体吸引用キャップに関する。
【背景技術】
【０００２】
ドラム缶等の容器に貯留された流体を外部に導出するための装置が広範に採用されている。この種の装置は、例えば、ドラム缶等の容器の流体取出口に挿入されるパイプと、このパイプに連結されて負圧作用下に該流体を容器から外部へと導出するためのポンプを備える。その構成を図５に示す。
【０００３】
図５において、参照符号１は、容器としてのドラム缶を示し、その内部には、例えば、揮発性塗料、あるいは剥離性保護層を形成するのための流体２等が貯留される。ドラム缶１は、その上部に蓋部３を備え、この蓋部３には流体取出口４が形成されている。流体取出口４は、ドラム缶１の内部に突出する環状壁５を備え、この環状壁５の内壁にはねじ部６が形成されている。通常、このねじ部６に図示しないキャップを螺入する。
【０００４】
前記流体２をドラム缶１から吸引して取り出す場合、前記図示しないキャップを取り外した後、キャップ７を前記流体取出口４に装着する。すなわち、キャップ７はねじ部８とフランジ９とを有し、フランジ９の上部にパイプ挿入部１０が一体的に設けられている。なお、図５中、参照符号１１は、前記パイプ挿入部１０のねじ穴に螺入される緊締用ねじを示す。
【０００５】
以上のような構成において、先ず、パイプ１２にキャップ７を挿通した後、前記キャップ７のねじ部８をねじ部６に螺入してフランジ９を蓋部３の上面に当接密着させる。次いで、緊締用ねじ１１を螺入してパイプ１２とキャップ７との一体化を図る。パイプ１２に図示しないポンプを連結してポンプを付勢することにより、流体２はドラム缶１の外部へと吸引導出される。
【０００６】
ところで、前記のような構成において、先ず、パイプ１２とパイプ挿入部１０との密着性が確保し難いという難点がある。すなわち、パイプ１２とパイプ挿入部１０との間隙を介してドラム缶１の内部と外部とが流通してしまう。例えば、流体２が塗料の場合には、水やシンナーの如き溶媒がその間隙から外部へ流出してしまう。従って、常温乾燥型塗料の場合、塗料の固化や塗料表面に皮張りが発生してしまう。この固化したり、あるいは皮張りが生じた塗料を車両の表面に塗布しようとすると、当然に塗装品質の悪い製品が生じてしまう。また、流体２が可燃性液体の場合には、前記した間隙から可燃性ガスが蒸発し、外部へと飛散する。その結果、職場環境を悪化させるという懸念も想起される。
【０００７】
さらに、キャップ７のねじ部８を環状壁５の内壁のねじ部６に螺入する手数と緊締用ねじ１１をパイプ１２に螺入する手数がかかるため、ドラム缶１に対するキャップ７の取り付け、取り外しが極めて煩雑であるという問題点も指摘されている。
【０００８】
しかも、図５に示す従来技術では、パイプ１２はキャップ７によってしっかりとドラム缶１に固定されている。このため、パイプ１２の下端部の変位は不可能であり、貯留されている流体２の全てを吸引して導出することは困難である。
【０００９】
さらにまた、流体２が塗料である場合、該塗料がねじ部６、８のねじ山に付着して固化し、そのために、キャップ７の取り外し、パイプ１２の着脱が困難となる不都合がある。なお、場合によっては固化した塗料がドラム缶１内に落下し、正常な塗料と混在して塗装に使用することが困難となり、また、使用した場合には塗装品質を悪化させる原因となる。
【００１０】
ここで、さらなる従来技術を特許文献１として挙げる。この特許文献１には、エリアリフタによってブランジャーポンプを下降させてダイヤフラムにより塗料タンクの内壁に付着する高粘度塗料を刷り落としながら、該高粘度塗料をブランジャーポンプにより吸い上げる従来技術が記載されている。しかし、これでは塗料の固化を防止することはできず、吸い上げ方法としてエリアリフタを使用するなど複雑である。
【００１１】
【特許文献１】特開昭６０−９４１７２号公報
【発明の開示】
【発明が解決しようとする課題】
【００１２】
本発明は前記の不都合を克服するためになされたものであり、簡単な構成でドラム缶等の流体貯留用容器に容易に取着でき、さらに前記容器内の流体を劣化させることなく、また、流体が揮発するものである場合には、その外部への導出、拡散、あるいは酸化を阻止し、さらに流体吸引用キャップの容器への装着、あるいは取り外しが一層容易化する流体吸引用キャップを提供することを目的とする。
【課題を解決するための手段】
【００１３】
前記の目的を達成するために、本発明は、流体の貯留用容器に挿入されるパイプに装着されるキャップであって、前記キャップは、スカート部とパイプ挿入部とを有し、前記スカート部の端部には周回するリブが設けられ、且つ前記スカート部に弁体が設けられるとともに前記パイプ挿入部は前記パイプの周壁に略密着していることを特徴とする。
【００１４】
前記キャップはリブが容器の流体取出口の周囲を囲繞するように装着され、パイプ挿入部を貫通するパイプは前記流体取出口を通って容器の底部近傍まで到達する。ポンプを駆動して容器内の流体を吸引すると、該容器は負圧となるが、その際、前記弁体が開成されて大気側から空気が容器内に進入して容器の内部と外部との圧力が均衡する。吸引作業が完了すると、前記弁体は閉成されて容器内は密閉状態を確保する。
【００１５】
この場合、前記スカート部は弾性力を有する可撓性部材、例えば、合成ゴムで形成されているとよい。前記のように、スカート部を弾性力に富む可撓性部材、好ましくは合成ゴムで形成しているために容器の流体取出口の周囲に密着し、しかもパイプ挿入部とパイプとの密着性も確保され、結局、容器の外部と内部とを略遮断して密閉効果が得られる。
【００１６】
さらに、前記弁体がチェック弁であれば、容器の外部からの大気の流入のみを許容する。さらにまた、前記チェック弁が前記スカート部と一体に形成され、且つスリットを有するように構成すれば、構造が簡単で廉価に製造できる。しかも、前記スカート部がその一部に蛇腹形状を有していれば、容器内外の圧力差に容易に対応でき、好適である。
【発明の効果】
【００１７】
本発明によれば、パイプに装着されるキャップをスカート部とパイプ挿入部で構成するとともに、このスカート部を弾性力に富む可撓性部材で形成し、且つその一部に弁体を設けている。この結果、簡単な構成で容易に取着でき、流体貯留用容器に貯留されている流体を外部に導出するとともに、当該容器の内部に残っている少量の流体も効率的に吸引することが可能となる。
【００１８】
しかも、キャップを弾性力に富む可撓性部材で形成しているために、一体成形が可能であり、廉価に製造することができるとともに、容器内の密閉状態を確保できることにより、流体の固化を回避し、揮発性のある流体を外部に導出、あるいは酸化させることなく、流体の品質を一定期間効果的に維持することができるという優れた利点がある。
【発明を実施するための最良の形態】
【００１９】
本発明に係る流体吸引用キャップについて実施の形態を挙げ、添付の図面を参照しながら、以下、詳細に説明する。なお、図５に示す従来技術と同一の構成要素には同一の参照符号を付し、その詳細な説明を省略する。
【００２０】
流体吸引用のキャップ２０（以下、キャップ２０ともいう）は、スカート部２２とパイプ１２を挿入するための挿入部２４とからなる。スカート部２２は、図１に示されるように、縦断面半球状で且つ下方へと拡開する形状を有する。スカート部２２の下端部には周回するリブ２６が設けられる。前記挿入部２４の内壁は前記パイプ１２の外周に密着する構成を採用している。スカート部２２と挿入部２４とは、例えば、合成ゴムの如き弾性力に富む部材で形成される。
【００２１】
本実施の形態において、スカート部２２の上部側に弁体２８が設けられる。弁体２８は、薄肉状のスカート部２２に対しその肉厚を大きめに選択するとともに、その中心部に、図１に示すように、十字状のスリット３０を設けてなる。スリット３０の幅は、可及的に狭くして空気抵抗が多いようにするのが好ましい。なお、図３に示すように、前記スカート部２２の一部、特に下部側に蛇腹３２を形成してもよい。
【００２２】
本実施の形態に係る流体吸引用のキャップ２０は基本的には以上のように構成されるものであり、次にその作用効果について説明する。
【００２３】
前記の通り、パイプ１２を予めキャップ２０の挿入部２４に挿入し、次いで、パイプ１２の先端部をドラム缶１等からなる容器の流体取出口４から挿入する。この場合、環状のリブ２６が前記流体取出口４の周囲を囲繞し、密着する。なお、図４に示すように、種類によっては、その上部の蓋部３４に流体取出口を設けていないドラム缶３６もある。そのときは、この蓋部３４を取り外し、流体取出口３８が設けられている蓋部４０に予め取り替えておくとよい。
【００２４】
次いで、図示しないポンプを付勢する。これによって、パイプ１２内の空気が吸引されて、さらに流体２、例えば塗料が吸引される。ドラム缶１の内部が前記ポンプの吸引作用下に負圧になると、ドラム缶１の外部の大気圧が、図２に示すように、キャップ２０を押圧し、これによって該キャップ２０のスカート部２２が変形し、最終的には弁体２８のスリット３０が拡がる。このため、該スリット３０を介して大気がドラム缶１内に入り、ドラム缶１の内外の圧力が均衡するに至る。この結果、スリット３０はキャップ２０の弾性力により閉じられる。そして、図示しないポンプを滅勢すれば、ドラム缶１の内外の圧力は均衡した状態で、すなわち、スリット３０は閉じた状態でドラム缶１の内部が外部と遮断される。
【００２５】
なお、この場合、前記キャップ２０のスカート部２２が弾性力に富む可撓性部材で形成されているために、パイプ１２の先端部を環状壁５の範囲内で、図２中、矢印で示すように振ることができる。これは、ドラム缶１内の流体２を可及的に多く吸引することができることを意味する。すなわち、パイプ１２の先端部をドラム缶１の内部で振ることによってドラム缶１を傾斜させている場合に、その隅角部に貯留される流体２を外部に吸引することができる。
【００２６】
ここで、図３に示すようにスカート部２２に蛇腹３２を設けておくと、より一層空気のドラム缶１の内部から外部への導出が達成されることになる。
【図面の簡単な説明】
【００２７】
【図１】本発明の実施の形態に係る流体吸引用キャップの一部断面図である。
【図２】図１に示す流体吸引用キャップをドラム缶に取り付けたときの一部断面図である。
【図３】本発明の他の実施の形態に係る流体吸引用キャップの側面図である。
【図４】図１に示す実施の形態に係る流体吸引用キャップを取り付けるドラム缶の蓋部を取り替える説明図である。
【図５】従来技術に係るキャップをドラム缶に取り付けたときの一部断面図である。
【符号の説明】
【００２８】
１、３６…ドラム缶                ２…流体
３、３４、４０…蓋部              ４、３８…流体取出口
５…環状壁                        ６、８…ねじ部
７、２０…キャップ                ９…フランジ
１０…パイプ挿入部                １１…緊締用ねじ
１２…パイプ                      ２２…スカート部
２４…挿入部                      ２６…リブ
２８…弁体                        ３０…スリット
３２…蛇腹
【図１】
2005035600.tif 000003
【図２】
2005035600.tif 000004
【図３】
2005035600.tif 000005
【図４】
2005035600.tif 000006
【図５】
2005035600.tif 000007